(57)【要約】  移動通信システムは、無線端末と無線基地局との間で複数のサブフレームを用いて通信を行う。前記無線端末は、前記複数のサブフレームのうち、第１サブフレームと前記第１サブフレームよりも時間軸上において後の第２サブフレームとの間の間隔を示すオフセット情報を受信する受信部と、前記第１サブフレームに含まれる割当情報を、前記第１サブフレームに適用せずに、前記第２サブフレームに適用する制御部とを備える。
2014069568.tif 000002
【特許請求の範囲】
【請求項１】
無線端末と無線基地局との間で複数のサブフレームを用いて通信を行う移動通信システムであって、
前記無線端末は、
前記複数のサブフレームのうち、第１サブフレームと前記第１サブフレームよりも時間軸上において後の第２サブフレームとの間の間隔を示すオフセット情報を受信する受信部と、
前記第１サブフレームに含まれる割当情報を、前記第１サブフレームに適用せずに、前記第２サブフレームに適用する制御部とを備えることを特徴とする移動通信システム。
【請求項２】
前記オフセット情報は、ユーザ端末を制御するためのＲＲＣメッセージ又は前記無線基地局から報知される報知情報に含まれることを特徴とする請求項１に記載の移動通信システム。
【請求項３】
前記オフセット情報は、制御信号を搬送するチャネルであるＰＤＣＣＨ又は下りリンク共有チャネルにおいて制御信号を搬送するチャネルであるｅＰＤＣＣＨを介して搬送される制御信号に含まれることを特徴とする請求項１に記載の移動通信システム。
【請求項４】
前記制御信号は、複数のコンポーネントキャリアの中の１つのコンポーネントキャリアを指定するフィールドであるＣＩＦを含み、
前記ＣＩＦは、前記コンポーネントキャリアを指定する情報と前記オフセット情報とを表現すること特徴とする請求項３に記載の移動通信システム。
【請求項５】
前記受信部は、前記第２サブフレームを先頭として連続するサブフレームの数を指定するサブフレーム数指定情報をＲＲＣメッセージとして受信し、
前記制御部は、前記サブフレーム数指定情報によって指定された数のサブフレームに亘って、前記第１サブフレームに含まれる割当情報を適用することを特徴とする請求項１に記載の移動通信システム。
【請求項６】
前記第１サブフレームに含まれる割当情報は、前記第２サブフレームを先頭として連続するサブフレームの数を指定するサブフレーム数指定情報を含み、
前記制御部は、前記サブフレーム数指定情報によって指定された数のサブフレームに亘って、前記第１サブフレームに含まれる制御領域に含まれる割当情報を適用することを特徴とする請求項１に記載の移動通信システム。
【請求項７】
前記第１サブフレームに含まれる割当情報は、前記第２サブフレームを先頭として連続する所定数のサブフレームのうち、当該割当情報を適用するべきサブフレームを特定するサブフレーム特定情報を含み、
前記制御部は、前記サブフレーム特定情報によって特定されたサブフレームに適用することを特徴とする請求項１に記載の移動通信システム。
【請求項８】
無線端末と無線基地局との間で複数のサブフレームを用いて通信を行う移動通信システムで用いる無線端末であって、
前記複数のサブフレームのうち、第１サブフレームと前記第１サブフレームよりも時間軸上において後の第２サブフレームとの間の間隔を示すオフセット情報を受信する受信部と、
前記第１サブフレームに含まれる割当情報を、前記第１サブフレームに適用せずに、前記第２サブフレームに適用する制御部とを備えることを特徴とする無線端末。
【請求項９】
無線端末と無線基地局との間で複数のサブフレームを用いて通信を行う移動通信システムで用いる移動通信方法であって、
前記無線端末において、前記複数のサブフレームのうち、第１サブフレームと前記第１サブフレームよりも時間軸上において後の第２サブフレームとの間の間隔を示すオフセット情報を受信するステップと、
前記無線端末において、前記第１サブフレームに含まれる割当情報を、前記第１サブフレームに適用せずに、前記第２サブフレームに適用するステップとを備えることを特徴とする移動通信方法。
【請求項１０】
無線端末と無線基地局との間で複数のサブフレームを用いて通信を行う移動通信システムであって、
前記無線端末は、第１サブフレームに含まれる割当情報を前記第１サブフレームよりも時間軸上において後の第２サブフレームに適用する電力低減モードが指定された場合に、前記第１サブフレームに含まれる割当情報を前記第２サブフレームに適用する制御部を備えることを特徴とする移動通信システム。
【請求項１１】
前記第１サブフレームは、第１コンポーネントキャリアに属しており、
前記第２サブフレームは、前記第１コンポーネントキャリアとは異なる第２コンポーネントキャリアに属することを特徴とする請求項１０に記載の移動通信システム。
【請求項１２】
前記制御部は、前記割当情報に基づいて、前記第２コンポーネントキャリアに属し前記第１サブフレームに対応するサブフレームから前記第２コンポーネントキャリアに属する前記第２サブフレームの前のサブフレームまでのサブフレームのうち、前記無線端末へのデータの割り当てがないサブフレームの監視を省略することを特徴とする請求項１１に記載の移動通信システム。
【請求項１３】
前記無線端末と前記無線基地局との間で行われる通信に要求される品質が所定閾値よりも厳しくない場合に、前記電力低減モードが指定されることを特徴とする請求項１０に記載の移動通信システム。
【請求項１４】
前記無線端末の移動速度が所定閾値よりも遅い場合に、前記電力低減モードが指定されることを特徴とする請求項１０に記載の移動通信システム。
【請求項１５】
前記無線端末が有するバッテリ残量が所定閾値よりも少ない場合に、前記電力低減モードが指定されることを特徴とする請求項１０に記載の移動通信システム。
【請求項１６】
前記無線端末が系統電源に接続されていない場合に、前記電力低減モードが指定されることを特徴とする請求項１に記載の移動通信システム。
【請求項１７】
前記無線端末のユーザによって指定された場合に、前記電力低減モードが指定されることを特徴とする請求項１０に記載の移動通信システム。
【請求項１８】
前記無線基地局から前記無線端末に送信されるトラフィック量又は前記無線基地局の送信バッファに存在するデータ量が所定閾値よりも少ない場合に、前記電力低減モードが指定されることを特徴とする請求項１０に記載の移動通信システム。
【請求項１９】
前記無線端末が前記電力低減モードを開始する旨を示すメッセージを前記無線基地局から受信した場合に、前記電力低減モードが指定されることを特徴とする請求項１０に記載の移動通信システム。
【請求項２０】
前記無線基地局は、前記電力低減モードを指定すると判断し、前記電力低減モードを開始する旨を示すメッセージを前記無線端末に送信することを特徴とする請求項１０に記載の移動通信システム。
【請求項２１】
前記無線端末は、前記電力低減モードを指定すると判断し、前記電力低減モードを開始する旨を示すメッセージを前記無線基地局に送信することを特徴とする請求項１０に記載の移動通信システム。
【請求項２２】
前記サブフレームは、制御領域及びデータ領域によって構成されており、
前記制御部は、前記第１サブフレームの次のサブフレームから前記第２サブフレームまでのサブフレームに含まれる前記制御領域の監視を省略し、前記第１サブフレームから前記割当情報を除いた部分、及び前記第１サブフレームの次のサブフレームから前記第２サブフレームの前のサブフレームに含まれる前記データ領域の監視を省略することを特徴とする請求項１０に記載の移動通信システム。
【請求項２３】
無線端末と無線基地局との間で複数のサブフレームを用いて通信を行う移動通信システムで用いる無線端末であって、
第１サブフレームに含まれる割当情報を前記第１サブフレームよりも時間軸上において後の第２サブフレームに適用する電力低減モードが指定された場合に、前記第１サブフレームに含まれる割当情報を前記第２サブフレームに適用する制御部を備えることを特徴とする無線端末。
【請求項２４】
無線端末と無線基地局との間で複数のサブフレームを用いて通信を行う移動通信システムで用いる移動通信方法であって、
前記無線端末において、第１サブフレームに含まれる割当情報を前記第１サブフレームよりも時間軸上において後の第２サブフレームに適用する電力低減モードが指定された場合に、前記第１サブフレームに含まれる割当情報を前記第２サブフレームに適用するステップを備えることを特徴とする移動通信方法。
【発明の詳細な説明】
【技術分野】
【０００１】
本発明は、制御領域及びデータ領域によって構成される単位を１つのサブフレームとして、無線端末と無線基地局との間で複数のサブフレームを用いて通信を行う移動通信システム、移動通信システムで用いる無線端末及び移動通信方法に関する。
【背景技術】
【０００２】
従来、制御領域（例えば、ＰＤＣＣＨ）及びデータ領域（例えば、ＰＤＳＣＨ）によって構成される単位を１つのサブフレームとして、無線端末と無線基地局との間で複数のサブフレームを用いて通信を行う移動通信システムが知られている。例えば、このような移動通信システムとして、ＬＴＥ（Ｌｏｎｇ  Ｔｅｒｍ  Ｅｖｏｌｕｔｉｏｎ）が知られている（例えば、非特許文献１参照）。
【先行技術文献】
【非特許文献】
【０００３】
【非特許文献１】３ＧＰＰ技術仕様書  「ＴＳ  ３６．３００  Ｖ１１．３．０」  ２０１２年９月
【発明の概要】
【０００４】
このような移動通信システムにおいて、無線端末は、所定サブフレームに含まれる制御領域に含まれる割当情報を所定サブフレームに含まれるデータ領域に適用して通信を行う。すなわち、割当情報を含む制御領域が属するサブフレームは、割当情報が適用されるデータ領域が属するサブフレームと同じである。
【０００５】
従って、無線端末は、サブフレームに含まれる制御領域（例えば、ＰＤＣＣＨ）を常に監視していなければならず、無線端末の消費電力の低減に制約を与えている。
【０００６】
一実施形態に係る移動通信システムは、無線端末と無線基地局との間で複数のサブフレームを用いて通信を行う。前記無線端末は、前記複数のサブフレームのうち、第１サブフレームと前記第１サブフレームよりも時間軸上において後の第２サブフレームとの間の間隔を示すオフセット情報を受信する受信部と、前記第１サブフレームに含まれる割当情報を、前記第１サブフレームに適用せずに、前記第２サブフレームに適用する制御部とを備える。
【図面の簡単な説明】
【０００７】
【図１】図１は、第１実施形態に係る移動通信システム１００を示す図である。
【図２】図２は、第１実施形態に係る無線フレームを示す図である。
【図３】図３は、第１実施形態に係る無線リソースを示す図である。
【図４】図４は、第１実施形態に係る適用ケースを示す図である。
【図５】図５は、第１実施形態に係る適用ケースを示す図である。
【図６】図６は、第１実施形態に係る無線端末１０を示すブロック図である。
【図７】図７は、第１実施形態に係る無線基地局３１０を示すブロック図である。
【図８】図８は、第１実施形態に係る移動通信方法を示すシーケンス図である。
【図９】図９は、変更例１に係る適用ケースを示す図である。
【図１０】図１０は、変更例２に係る適用ケースを示す図である。
【図１１】図１１は、変更例３に係る適用ケースを示す図である。
【図１２】図１２は、変更例４に係る適用ケースを示す図である。
【発明を実施するための形態】
【０００８】
以下において、本発明の実施形態に係る移動通信システムについて、図面を参照しながら説明する。なお、以下の図面の記載において、同一又は類似の部分には、同一又は類似の符号を付している。
【０００９】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１０】
［実施形態の概要］
実施形態に係る移動通信システムは、無線端末と無線基地局との間で複数のサブフレームを用いて通信を行う。前記無線端末は、前記複数のサブフレームのうち、第１サブフレームと前記第１サブフレームよりも時間軸上において後の第２サブフレームとの間の間隔を示すオフセット情報を受信する受信部と、前記第１サブフレームに含まれる割当情報を、前記第１サブフレームに適用せずに、前記第２サブフレームに適用する制御部とを備える。
【００１１】
実施形態では、制御部は、第１サブフレームに含まれる割り当て情報を、第１サブフレームに適用せずに、第２サブフレームに適用する。従って、制御部は、第１サブフレーム（割当情報を除く）から第２サブフレームの前のサブフレームまでのサブフレームに含まれる領域（例えば、ＰＤＳＣＨ）の監視を省略可能である。これによって、無線端末の消費電力を低減することができる。
【００１２】
なお、本明細書において、「監視」とは、制御信号、参照信号及びデータ信号の少なくともいずれか一つ以上の信号の受信（及び復調）を意味する。従って、制御部は、例えば、第１サブフレームから第２サブフレームの前のサブフレームまでのサブフレームに含まれるデータ領域に含まれるデータ信号の受信及び復調を省略できる。
【００１３】
実施形態において、前記オフセット情報は、無線リソース制御のためのＲＲＣメッセージ又は前記無線基地局から報知される報知情報に含まれる。
【００１４】
実施形態において、前記オフセット情報は、制御信号を搬送するチャネルであるＰＤＣＣＨ又は下りリンク共有チャネルにおいて制御信号を搬送するチャネルであるｅＰＤＣＣＨを介して搬送される制御信号に含まれる。
【００１５】
実施形態において、前記制御信号は、複数のコンポーネントキャリアの中の１つのコンポーネントキャリアを指定するフィールドであるＣＩＦを含む。前記ＣＩＦは、前記コンポーネントキャリアを指定する情報と前記オフセット情報とを表現する。
【００１６】
実施形態において、前記受信部は、前記第２サブフレームを先頭として連続するサブフレームの数を指定するサブフレーム数指定情報をＲＲＣメッセージとして受信し、前記制御部は、前記サブフレーム数指定情報によって指定された数のサブフレームに亘って、前記第１サブフレームに含まれる割当情報を適用する。
【００１７】
実施形態において、前記第１サブフレームに含まれる割当情報は、前記第２サブフレームを先頭として連続するサブフレームの数を指定するサブフレーム数指定情報を含み、前記制御部は、前記サブフレーム数指定情報によって指定された数のサブフレームに亘って、前記第１サブフレームに含まれる前記制御領域に含まれる割当情報を適用する。
【００１８】
実施形態において、前記第１サブフレームに含まれる割当情報は、前記第２サブフレームを先頭として連続する所定数のサブフレームのうち、当該割当情報を適用するべきサブフレームを特定するサブフレーム特定情報を含み、前記制御部は、前記サブフレーム特定情報によって特定されたサブフレームに適用する。
【００１９】
実施形態に係る無線端末は、無線端末と無線基地局との間で複数のサブフレームを用いて通信を行う移動通信システムで用いる無線端末である。前記無線端末は、前記複数のサブフレームのうち、第１サブフレームと前記第１サブフレームよりも時間軸上において後の第２サブフレームとの間の間隔を示すオフセット情報を受信する受信部と、前記第１サブフレームに含まれる割当情報を、前記第１サブフレームに適用せずに、前記第２サブフレームに適用する制御部とを備える。
【００２０】
実施形態に係る移動通信方法は、無線端末と無線基地局との間で複数のサブフレームを用いて通信を行う移動通信システムで用いる移動通信方法である。前記移動通信方法は、前記無線端末において、前記複数のサブフレームのうち、第１サブフレームと前記第１サブフレームよりも時間軸上において後の第２サブフレームとの間の間隔を示すオフセット情報を受信するステップと、前記無線端末において、前記第１サブフレームに含まれる割当情報を、前記第１サブフレームに適用せずに、前記第２サブフレームに適用するステップとを備える。
【００２１】
実施形態に係る移動通信システムは、無線端末と無線基地局との間で複数のサブフレームを用いて通信を行う移動通信システムである。前記無線端末は、第１サブフレームに含まれる割当情報を前記第１サブフレームよりも時間軸上において後の第２サブフレームに適用する電力低減モードが指定された場合に、前記第１サブフレームに含まれる割当情報を前記第２サブフレームに適用する制御部を備える。
【００２２】
実施形態の変更例１において、前記第１サブフレームは、第１コンポーネントキャリアに属しており、前記第２サブフレームは、前記第１コンポーネントキャリアとは異なる第２コンポーネントキャリアに属する。
【００２３】
実施形態の変更例１において、前記制御部は、前記割当情報に基づいて、前記第２コンポーネントキャリアに属し前記第１サブフレームに対応するサブフレームから前記第２コンポーネントキャリアに属する前記第２サブフレームの前のサブフレームまでのサブフレームのうち、前記無線端末へのデータの割り当てがないサブフレームの監視を省略する。
【００２４】
実施形態において、前記無線端末と前記無線基地局との間で行われる通信に要求される品質が所定閾値よりも厳しくない場合に、前記電力低減モードが指定される。
【００２５】
実施形態において、前記無線端末の移動速度が所定閾値よりも遅い場合に、前記電力低減モードが指定される。
【００２６】
実施形態において、前記無線端末が有するバッテリ残量が所定閾値よりも少ない場合に、前記電力低減モードが指定される。
【００２７】
実施形態において、前記無線端末が系統電源に接続されていない場合に、前記電力低減モードが指定される。
【００２８】
実施形態において、前記無線端末のユーザによって指定された場合に、前記電力低減モードが指定される。
【００２９】
実施形態において、前記無線基地局から前記無線端末に送信されるトラフィック量又は前記無線基地局の送信バッファに存在するデータ量が所定閾値よりも少ない場合に、前記電力低減モードが指定される。
【００３０】
実施形態において、前記無線端末が前記電力低減モードを開始する旨を示すメッセージを前記無線基地局から受信した場合に、前記電力低減モードが指定される。
【００３１】
実施形態において、前記無線基地局は、前記電力低減モードを指定すると判断し、前記電力低減モードを開始する旨を示すメッセージを前記無線端末に送信する。
【００３２】
実施形態において、前記無線端末は、前記電力低減モードを指定すると判断し、前記電力低減モードを開始する旨を示すメッセージを前記無線基地局に送信する。
【００３３】
実施形態において、前記サブフレームは、制御領域及びデータ領域によって構成されており、前記制御部は、前記第１サブフレームの次のサブフレームから前記第２サブフレームまでのサブフレームに含まれる前記制御領域の監視を省略し、前記第１サブフレームから前記割当情報を除いた部分、及び前記第１サブフレームの次のサブフレームから前記第２サブフレームの前のサブフレームに含まれる前記データ領域の監視を省略する。
【００３４】
実施形態に係る無線端末は、無線端末と無線基地局との間で複数のサブフレームを用いて通信を行う移動通信システムで用いる無線端末である。前記無線端末は、第１サブフレームに含まれる割当情報を前記第１サブフレームよりも時間軸上において後の第２サブフレームに適用する電力低減モードが指定された場合に、前記第１サブフレームに含まれる割当情報を前記第２サブフレームに適用する制御部を備える。
【００３５】
実施形態に係る移動通信方法は、無線端末と無線基地局との間で複数のサブフレームを用いて通信を行う移動通信システムで用いる移動通信方法である。前記移動通信方法は、前記無線端末において、第１サブフレームに含まれる割当情報を前記第１サブフレームよりも時間軸上において後の第２サブフレームに適用する電力低減モードが指定された場合に、前記第１サブフレームに含まれる割当情報を前記第２サブフレームに適用するステップを備える。
【００３６】
［第１実施形態］
（移動通信システム）
以下において、第１実施形態に係る移動通信システムについて説明する。図１は、第１実施形態に係る移動通信システム１００を示す図である。
【００３７】
図１に示すように、移動通信システム１００は、無線端末１０（以下、ＵＥ１０）と、コアネットワーク５０とを含む。また、移動通信システム１００は、第１通信システムと第２通信システムとを含む。
【００３８】
第１通信システムは、例えば、ＬＴＥ（Ｌｏｎｇ  Ｔｅｒｍ  Ｅｖｏｌｕｔｉｏｎ）に対応する通信システムである。第１通信システムは、例えば、基地局１１０Ａ（以下、ＭｅＮＢ１１０Ａ）と、ホーム基地局１１０Ｂ（以下、ＨｅＮＢ１１０Ｂ）と、ホーム基地局ゲートウェイ１２０Ｂ（以下、ＨｅＮＢ−ＧＷ１２０Ｂ）と、ＭＭＥ１３０とを有する。
【００３９】
なお、第１通信システムに対応する無線アクセスネットワーク（Ｅ−ＵＴＲＡＮ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）は、ＭｅＮＢ１１０Ａ、ＨｅＮＢ１１０Ｂ及びＨｅＮＢ−ＧＷ１２０Ｂによって構成される。
【００４０】
第２通信システムは、例えば、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）に対応する通信システムである。第２通信システムは、基地局２１０Ａ（以下、ＭＮＢ２１０Ａ）と、ホーム基地局２１０Ｂ（以下、ＨＮＢ２１０Ｂ）と、ＲＮＣ２２０Ａと、ホーム基地局ゲートウェイ２２０Ｂ（以下、ＨＮＢ−ＧＷ２２０Ｂ）と、ＳＧＳＮ２３０とを有する。
【００４１】
なお、第２通信システムに対応する無線アクセスネットワーク（ＵＴＲＡＮ；Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）は、ＭＮＢ２１０Ａ、ＨＮＢ２１０Ｂ、ＲＮＣ２２０Ａ、ＨＮＢ−ＧＷ２２０Ｂによって構成される。
【００４２】
ＵＥ１０は、第２通信システム或いは第１通信システムと通信を行うように構成された装置（Ｕｓｅｒ  Ｅｑｕｉｐｍｅｎｔ）である。例えば、ＵＥ１０は、ＭｅＮＢ１１０Ａ及びＨｅＮＢ１１０Ｂと無線通信を行う機能を有する。或いは、ＵＥ１０は、ＭＮＢ２１０Ａ及びＨＮＢ２１０Ｂと無線通信を行う機能を有する。
【００４３】
ＭｅＮＢ１１０Ａは、一般セル１１１Ａを管理しており、一般セル１１１Ａに存在するＵＥ１０と無線通信を行う装置（ｅｖｏｌｖｅｄ  ＮｏｄｅＢ）である。
【００４４】
ＨｅＮＢ１１０Ｂは、特定セル１１１Ｂを管理しており、特定セル１１１Ｂに存在するＵＥ１０と無線通信を行う装置（Ｈｏｍｅ  ｅｖｏｌｖｅｄ  ＮｏｄｅＢ）である。
【００４５】
ＨｅＮＢ−ＧＷ１２０Ｂは、ＨｅＮＢ１１０Ｂに接続されており、ＨｅＮＢ１１０Ｂを管理する装置（Ｈｏｍｅ  ｅｖｏｌｖｅｄ  ＮｏｄｅＢ  Ｇａｔｅｗａｙ）である。
【００４６】
ＭＭＥ１３０は、ＭｅＮＢ１１０Ａと接続されており、ＭｅＮＢ１１０Ａと無線接続を設定しているＵＥ１０の移動性を管理する装置（Ｍｏｂｉｌｉｔｙ  Ｍａｎａｇｅｍｅｎｔ  Ｅｎｔｉｔｙ）である。また、ＭＭＥ１３０は、ＨｅＮＢ−ＧＷ１２０Ｂを介してＨｅＮＢ１１０Ｂと接続されており、ＨｅＮＢ１１０Ｂと無線接続を設定しているＵＥ１０の移動性を管理する装置である。
【００４７】
ＭＮＢ２１０Ａは、一般セル２１１Ａを管理しており、一般セル２１１Ａに存在するＵＥ１０と無線通信を行う装置（ＮｏｄｅＢ）である。
【００４８】
ＨＮＢ２１０Ｂは、特定セル２１１Ｂを管理しており、特定セル２１１Ｂに存在するＵＥ１０と無線通信を行う装置（Ｈｏｍｅ  ＮｏｄｅＢ）である。
【００４９】
ＲＮＣ２２０Ａは、ＭＮＢ２１０Ａに接続されており、一般セル２１１Ａに存在するＵＥ１０と無線接続（ＲＲＣ  Ｃｏｎｎｅｃｔｉｏｎ）を設定する装置（Ｒａｄｉｏ  Ｎｅｔｗｏｒｋ  Ｃｏｎｔｒｏｌｌｅｒ）である。
【００５０】
ＨＮＢ−ＧＷ２２０Ｂは、ＨＮＢ２１０Ｂに接続されており、特定セル２１１Ｂに存在するＵＥ１０と無線接続（ＲＲＣ  Ｃｏｎｎｅｃｔｉｏｎ）を設定する装置（Ｈｏｍｅ  ＮｏｄｅＢ  Ｇａｔｅｗａｙ）である。
【００５１】
ＳＧＳＮ２３０は、パケット交換ドメインにおいてパケット交換を行う装置（Ｓｅｒｖｉｎｇ  ＧＰＲＳ  Ｓｕｐｐｏｒｔ  Ｎｏｄｅ）である。ＳＧＳＮ２３０は、コアネットワーク５０に設けられる。図１では省略しているが、回線交換ドメインにおいて回線交換を行う装置（ＭＳＣ；Ｍｏｂｉｌｅ  Ｓｗｉｔｃｈｉｎｇ  Ｃｅｎｔｅｒ）がコアネットワーク５０に設けられていてもよい。
【００５２】
なお、一般セル及び特定セルは、ＵＥ１０と無線通信を行う機能として理解すべきである。但し、一般セル及び特定セルは、セルのカバーエリアを示す用語としても用いられる。また、一般セル及び特定セルなどのセルは、セルで用いられる周波数、拡散コード又はタイムスロットなどによって識別される。
【００５３】
ここで、一般セルのカバーエリアは、特定セルのカバーエリアよりも広い。一般セルは、例えば、通信事業者によって提供されるマクロセルである。特定セルは、例えば、通信事業者以外の第三者によって提供されるフェムトセル又はホームセルである。但し、特定セルは、通信事業者によって提供されるＣＳＧ（Ｃｌｏｓｅｄ  Ｓｕｂｓｃｒｉｂｅｒ  Ｇｒｏｕｐ）セル又はピコセルであってもよい。
【００５４】
なお、以下においては、第１通信システムについて主として説明する。但し、以下の記載が第２通信システムに適用されてもよい。
【００５５】
ここで、第１通信システムでは、下りリンクの多重方式として、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式が用いられており、上りリンクの多重方式として、ＳＣ−ＦＤＭＡ（Ｓｉｎｇｌｅ−Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式が用いられる。
【００５６】
また、第１通信システムでは、上りリンクのチャネルとして、上りリンク制御チャネル（ＰＵＣＣＨ；Ｐｈｙｓｉｃａｌ  Ｕｐｌｉｎｋ  Ｃｏｎｔｒｏｌ  Ｃｈａｎｎｅｌ）及び上りリンク共有チャネル（ＰＵＳＣＨ；Ｐｈｙｓｉｃａｌ  Ｕｐｌｉｎｋ  Ｓｈａｒｅｄ  Ｃｈａｎｎｅｌ）などが存在する。また、下りリンクのチャネルとして、下りリンク制御チャネル（ＰＤＣＣＨ；Ｐｈｙｓｉｃａｌ  Ｄｏｗｎｌｉｎｋ  Ｃｏｎｔｒｏｌ  Ｃｈａｎｎｅｌ）及び下りリンク共有チャネル（ＰＤＳＣＨ；Ｐｈｙｓｉｃａｌ  Ｄｏｗｎｌｉｎｋ  Ｓｈａｒｅｄ  Ｃｈａｎｎｅｌ）などが存在する。
【００５７】
上りリンク制御チャネルは、制御信号を搬送するチャネルである。制御信号は、例えば、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＲＩ（Ｒａｎｋ  Ｉｎｄｉｃａｔｏｒ）、ＳＲ（Ｓｃｈｅｄｕｌｉｎｇ  Ｒｅｑｕｅｓｔ）、ＡＣＫ／ＮＡＣＫなどである。
【００５８】
ＣＱＩは、下りリンクの伝送に使用すべき推奨変調方式と符号化速度を通知する信号である。ＰＭＩは、下りリンクの伝送の為に使用することが望ましいプリコーダマトリックスを示す信号である。ＲＩは、下りリンクの伝送に使用すべきレイヤ数（ストリーム数）を示す信号である。ＳＲは、上りリンク無線リソース（後述するリソースブロック）の割当てを要求する信号である。ＡＣＫ／ＮＡＣＫは、下りリンクのチャネル（例えば、ＰＤＳＣＨ）を介して送信される信号を受信できたか否かを示す信号である。
【００５９】
上りリンク共有チャネルは、制御信号（上述した制御信号を含む）又は／及びデータ信号を搬送するチャネルである。例えば、上りリンク無線リソースは、データ信号にのみ割当てられてもよく、データ信号及び制御信号が多重されるように割当てられてもよい。
【００６０】
下りリンク制御チャネルは、制御信号を搬送するチャネルである。制御信号（ＤＣＩ；Ｄｏｗｎｌｉｎｋ  Ｃｏｎｔｒｏｌ  Ｉｎｆｏｒｍａｔｉｏｎ）は、例えば、割当情報（Ｕｐｌｉｎｋ  ＳＩ（Ｓｃｈｅｄｕｌｉｎｇ  Ｉｎｆｏｒｍａｔｉｏｎ）、Ｄｏｗｎｌｉｎｋ  ＳＩ（Ｓｃｈｅｄｕｌｉｎｇ  Ｉｎｆｏｒｍａｔｉｏｎ））、ＴＰＣビットである。
【００６１】
Ｕｐｌｉｎｋ  ＳＩは、上りリンク無線リソースの割当てを示す信号である。Ｄｏｗｎｌｉｎｋ  ＳＩは、下りリンク無線リソースの割当てを示す信号である。ＴＰＣビットは、上りリンクのチャネルを介して送信される信号の電力の増減を指示する信号である。
【００６２】
また、第１通信システムが、複数のコンポーネントキャリアを用いて通信が行われるケース（ＣＡ；Ｃａｒｒｉｅｒ  Ａｇｇｒｅｇａｔｉｏｎ）で運用される場合には、制御信号（ＤＣＩ）は、割当情報を適用すべきＰＤＳＣＨを含む複数のコンポーネントキャリアの中の１つのコンポーネントキャリアを指定するＣＩＦ（Ｃａｒｒｉｅｒ  Ｉｎｄｉｃａｔｏｒ  Ｆｉｅｌｄ）を含んでもよい。複数のコンポーネントキャリアは、制御信号を搬送するコンポーネントキャリア（ＰＣＣ；Ｐｒｉｍａｒｙ  Ｃｏｍｐｏｎｅｎｔ  Ｃａｒｒｉｅｒ）、ＰＣＣ以外のコンポーネントキャリア（ＳＣＣ；Ｓｅｃｏｎｄａｒｙ  Ｃｏｍｐｏｎｅｎｔ  Ｃａｒｒｉｅｒ）を含む。
【００６３】
下りリンク共有チャネルは、制御信号又は／及びデータ信号を搬送するチャネルである。例えば、下りリンク無線リソースは、データ信号にのみ割当てられてもよく、データ信号及び制御信号が多重されるように割当てられてもよい。
【００６４】
なお、下りリンク共有チャネルを介して送信される制御信号としては、ＴＡ（Ｔｉｍｉｎｇ  Ａｄｖａｎｃｅ）が挙げられる。ＴＡは、ＵＥ１０とＭｅＮＢ１１０Ａとの間の送信タイミング補正情報であり、ＵＥ１０から送信される上りリンク信号に基づいてＭｅＮＢ１１０Ａによって測定される。
【００６５】
また、下りリンク制御チャネル（ＰＤＣＣＨ）、下りリンク共有チャネル（ＰＤＳＣＨ）以外のチャネルを介して送信される制御信号としては、ＡＣＫ／ＮＡＣＫが挙げられる。ＡＣＫ／ＮＡＣＫは、上りリンクのチャネル（例えば、ＰＵＳＣＨ）を介して送信される信号を受信できたか否かを示す信号である。
【００６６】
なお、一般セル及び特定セルは、報知チャネル（ＢＣＣＨ；Ｂｒｏａｄｃａｓｔ  Ｃｏｎｔｒｏｌ  Ｃｈａｎｎｅｌ）を介して報知情報を報知する。報知情報は、例えば、ＭＩＢ（Ｍａｓｔｅｒ  Ｉｎｆｏｒｍａｔｉｏｎ  Ｂｌｏｃｋ）やＳＩＢ（Ｓｙｓｔｅｍ  Ｉｎｆｏｒｍａｔｉｏｎ  Ｂｌｏｃｋ）などの情報である。
【００６７】
（無線フレーム）
以下において、第１通信システムにおける無線フレームについて説明する。図２は、第１通信システムにおける無線フレームを示す図である。
【００６８】
図２に示すように、１つの無線フレームは、１０のサブフレームによって構成されており、１つのサブフレームは、２つのスロットによって構成される。１つのスロットの時間長は、０．５ｍｓｅｃであり、１つのサブフレームの時間長は、１ｍｓｅｃであり、１つの無線フレームの時間長は、１０ｍｓｅｃである。
【００６９】
なお、１つのスロットは、下りリンクにおいて、複数のＯＦＤＭシンボル（例えば、６つのＯＦＤＭシンボル或いは７つのＯＦＤＭシンボル）によって構成される。同様に、１つのスロットは、上りリンクにおいて、複数のＳＣ−ＦＤＭＡシンボル（例えば、６つのＳＣ−ＦＤＭＡシンボル或いは７つのＳＣ−ＦＤＭＡシンボル）によって構成される。
【００７０】
（無線リソース）
以下において、第１通信システムにおける無線リソースについて説明する。図３は、第１通信システムにおける無線リソースを示す図である。
【００７１】
図３に示すように、無線リソースは、周波数軸及び時間軸によって定義される。周波数は、複数のサブキャリアによって構成されており、所定数のサブキャリア（１２のサブキャリア）を纏めてリソースブロック（ＲＢ：Ｒｅｓｏｕｒｃｅ  Ｂｌｏｃｋ）と称する。時間は、上述したように、ＯＦＤＭシンボル（又は、ＳＣ−ＦＤＭＡシンボル）、スロット、サブフレーム、無線フレームなどの単位を有する。
【００７２】
ここで、無線リソースは、１リソースブロック毎に割当て可能である。また、周波数軸及び時間軸上において、複数のユーザ（例えば、ユーザ＃１〜ユーザ＃５）に対して分割して無線リソースを割当てることが可能である。
【００７３】
また、無線リソースは、ＭｅＮＢ１１０Ａ（或いは、ＨｅＮＢ１１０Ｂ）によって割当てられる。ＭｅＮＢ１１０Ａは、ＣＱＩ、ＰＭＩ、ＲＩなどに基づいて、各ＵＥ１０に割当てられる。
【００７４】
（適用シーン）
以下において、第１実施形態に係る適用シーンについて説明する。図４及び図５は、第１実施形態に係る適用シーンを示す図である。
【００７５】
一般的には、第１通信システムでは、制御領域（例えば、ＰＤＣＣＨ）及びデータ領域（例えば、ＰＤＳＣＨ）によって構成される単位を１つのサブフレームとして、ＵＥ１０と無線基地局３１０（ここでは、ＭｅＮＢ１１０Ａ又はＨｅＮＢ１１０Ｂ）との間で複数のサブフレームを用いて通信が行われる。また、ＵＥ１０は、所定サブフレームに含まれるＰＤＣＣＨ（或いは、ｅＰＤＣＣＨ）に含まれる割当情報（Ｄｏｗｎｌｉｎｋ  Ｓｃｈｅｄｕｌｅ  Ｉｎｆｏｒｍａｔｉｏｎ）を所定サブフレームに含まれるＰＤＳＣＨに適用して通信を行う。すなわち、割当情報を含むＰＤＣＣＨが属するサブフレームは、割当情報（Ｄｏｗｎｌｉｎｋ  Ｓｃｈｅｄｕｌｅ  Ｉｎｆｏｒｍａｔｉｏｎ）が適用されるＰＤＳＣＨが属するサブフレームと同じである。
【００７６】
これに対して、第１実施形態では、第１サブフレームに含まれる割当情報を前記第１サブフレームよりも時間軸上において後の第２サブフレームに適用する電力低減モードが導入される。電力低減モードにおいて、第１サブフレームに含まれる割当情報は、第１サブフレームに適用されない。
【００７７】
ここで、第１サブフレームと第２サブフレームとの間隔を示すオフセット情報は、無線基地局３１０からＵＥ１０に通知される。オフセット情報は、無線基地局３１０からＵＥ１０に送信されるＲＲＣメッセージ（電力低減モードの開始を要求するＲＲＣメッセージ）に含まれてもよい。或いは、オフセット情報は、無線基地局３１０から報知されるＳＩＢに含まれてもよい。或いは、オフセット情報は、無線基地局３１０からＵＥ１０に送信されるＰＤＣＣＨを介して搬送されるＣＩＦに含まれてもよい。このようなケースでは、ＣＩＦがオフセット情報を示す旨を示すＲＲＣメッセージ（例えば、ＣＩＦ  Ｃｏｎｆｉｇｕｒａｔｉｏｎ）が事前に無線基地局３１０からＵＥ１０に送信される。或いは、オフセット情報は、無線基地局３１０からＵＥ１０に送信されるＰＤＣＣＨを介して搬送されるＤＣＩに新たに定義されるフィールド（例えば、ＳＩＦ；Ｓｕｂｆｒａｍｅ  Ｉｎｄｉｃａｔｏｒ  Ｆｉｅｌｄ）に含まれてもよい。
【００７８】
第１実施形態において、第１サブフレームに含まれる割当情報が適用されるサブフレームは、第２サブフレームを先頭として連続するサブフレームであってもよい。第２サブフレームを先頭として連続するサブフレームの数を指定するサブフレーム数指定情報は、無線基地局３１０からＵＥ１０に送信されるＲＲＣメッセージ（電力低減モードの開始を要求するＲＲＣメッセージ）に含まれてもよい。或いは、サブフレーム数指定情報は、無線基地局３１０から報知されるＳＩＢに含まれてもよい。或いは、サブフレーム数指定情報は、無線基地局３１０からＵＥ１０に送信されるＰＤＣＣＨを介して搬送されるＣＩＦに含まれてもよい。このようなケースでは、ＣＩＦがサブフレーム数指定情報を示す旨を示すＲＲＣメッセージ（例えば、ＣＩＦ  Ｃｏｎｆｉｇｕｒａｔｉｏｎ）が事前に無線基地局３１０からＵＥ１０に送信される。なお、ＣＩＦは、３ｂｉｔのフィールドであるため、サブフレーム数指定情報がＣＩＦによって表現される場合には、ＣＩＦは、最大で８つのサブフレーム数を表現することが可能である。或いは、ＣＩＦは、既存の情報として５つの情報を表現するために用いられており、他の情報として３つの情報を表現することが可能である。従って、既存の情報の表現に用いていない部分を用いて、サブフレーム数指定情報を表現してもよい。或いは、サブフレーム数指定情報は、無線基地局３１０からＵＥ１０に送信されるＰＤＣＣＨを介して搬送されるＤＣＩに新たに定義されるフィールド（例えば、ＳＩＦ；Ｓｕｂｆｒａｍｅ  Ｉｎｄｉｃａｔｏｒ  Ｆｉｅｌｄ）に含まれてもよい。
【００７９】
或いは、第１サブフレームに含まれる割当情報が適用されるサブフレームは、第２サブフレームを先頭として連続する所定数のサブフレームのうち、任意に選択されたサブフレームであってもよい。第２サブフレームを先頭として連続する所定数のサブフレームのうち、第１サブフレームに含まれる割当情報が適用されるサブフレームを特定するサブフレーム特定情報は、無線基地局３１０からＵＥ１０に送信されるＲＲＣメッセージ（電力低減モードの開始を要求するＲＲＣメッセージ）に含まれてもよい。或いは、サブフレーム特定情報は、無線基地局３１０から報知されるＳＩＢに含まれてもよい。或いは、サブフレーム特定情報は、無線基地局３１０からＵＥ１０に送信されるＰＤＣＣＨを介して搬送されるＣＩＦに含まれてもよい。このようなケースでは、ＣＩＦがサブフレーム特定情報を示す旨を示すＲＲＣメッセージ（例えば、ＣＩＦ  Ｃｏｎｆｉｇｕｒａｔｉｏｎ）が事前に無線基地局３１０からＵＥ１０に送信される。なお、ＣＩＦは、割当情報を適用するか否かを“０（＝非適用）”及び“１（＝適用）”で表現することが可能である。ＣＩＦは、３ｂｉｔのフィールドであるため、サブフレーム特定情報がＣＩＦによって表現される場合には、ＣＩＦは、３つのサブフレームについて割当情報を適用するか否かを表現することが可能である。このようなケースにおいて、割当情報が適用されるサブフレームは、ＨＡＲＱ（Ｈｙｂｒｉｄ  Ａｕｔｏｍａｔｉｃ  Ｒｅｐｅａｔ  Ｒｅｑｕｅｓｔ）プロセスと読み替えてもよい。或いは、サブフレーム特定情報は、無線基地局３１０からＵＥ１０に送信されるＰＤＣＣＨを介して搬送されるＤＣＩに新たに定義されるフィールド（例えば、ＳＩＦ；Ｓｕｂｆｒａｍｅ  Ｉｎｄｉｃａｔｏｒ  Ｆｉｅｌｄ）に含まれてもよい。
【００８０】
なお、オフセット情報、サブフレーム数指定情報、サブフレーム特定情報は、互いに抵触しない方法でＵＥ１０に通知されればよい。例えば、オフセット情報がＳＩＢに含まれ、サブフレーム数指定情報がＲＲＣメッセージに含まれ、サブフレーム特定情報がＣＩＦによって表現されてもよい。
【００８１】
例えば、図４に示すように、サブフレーム＃１に含まれるＰＤＣＣＨ（割当情報）は、サブフレーム＃２及びサブフレーム＃３に適用される。このようなケースにおいて、ＵＥ１０は、サブフレーム＃１のＰＤＳＣＨ、サブフレーム＃２のＰＤＣＣＨ、サブフレーム＃３のＰＤＣＣＨの監視を省略することができる。従って、ＵＥ１０の消費電力が削減される。
【００８２】
或いは、図５に示すように、サブフレーム＃１に含まれるＰＤＣＣＨ（割当情報）は、サブフレーム＃３に適用される。このようなケースにおいて、ＵＥ１０は、サブフレーム＃１のＰＤＳＣＨ、サブフレーム＃２のＰＤＣＣＨ及びＰＤＳＣＨ、サブフレーム＃３のＰＤＣＣＨの監視を省略することができる。従って、ＵＥ１０の消費電力が削減される。
【００８３】
但し、サブフレーム＃１に含まれるＰＤＣＣＨ（割当情報）が適用されるサブフレーム数は、サブフレーム数指定情報によって指定されてもよい。サブフレーム＃１に含まれるＰＤＣＣＨ（割当情報）が適用されるサブフレームは、サブフレーム特定情報によって特定されてもよい。
【００８４】
（電力低減モードの開始条件）
電力低減モードを開始するか否かについては、無線基地局３１０によって判断されてもよく、ＵＥ１０によって判断されてもよい。電力低減モードの開始条件は、（ａ）ＵＥ１０と無線基地局３１０との間で行われる通信に要求される品質（ＱｏＳ；Ｑｕａｌｉｔｙ  ｏｆ  Ｓｅｒｖｉｃｅ）、（ｂ）ＵＥ１０の移動速度、（ｃ）ＵＥ１０のバッテリ残量、（ｄ）ＵＥ１０が系統電源に接続されているか否か、（ｅ）ＵＥ１０のユーザによる指定の有無、（ｆ）無線基地局３１０からＵＥ１０に送信されるトラフィック量又は無線基地局３１０の送信バッファに存在するデータ量によって定められる。電力低減モードの開始条件は、（ａ）〜（ｆ）の組合せであってもよい。
【００８５】
例えば、（ａ）ＱｏＳが所定閾値よりも厳しくない場合に、電力低減モードの開始条件が満たされて、電力低減モードが指定される。或いは、（ｂ）ＵＥ１０の移動速度が所定閾値よりも遅い場合に、電力低減モードの開始条件が満たされて、電力低減モードが指定される。或いは、（ｃ）ＵＥ１０のバッテリ残量が所定閾値よりも少ない場合に、電力低減モードの開始条件が満たされて、電力低減モードが指定される。或いは、（ｄ）ＵＥ１０が系統電源に接続されていない場合に、電力低減モードの開始条件が満たされて、電力低減モードが指定される。或いは、（ｅ）ＵＥ１０のユーザ設定（アプリケーションの設定等を含む）によって電力低減モードの開始が指定された場合に、電力低減モードの開始条件が満たされて、電力低減モードが指定される。或いは、（ｆ）無線基地局３１０からＵＥ１０に送信されるトラフィック量又は無線基地局３１０の送信バッファに存在するデータ量が所定閾値よりも少ない場合に、電力低減モードの開始条件が満たされて、電力低減モードが指定される。
【００８６】
なお、電力低減モードを開始するか否かを判断するために必要な情報は、ＵＥ１０と無線基地局３１０との間の通信によって取得可能である。例えば、無線基地局３１０が判断主体であり、電力低減モードの開始条件がＵＥ１０のバッテリ残量によって定められる場合には、ＵＥ１０から無線基地局３１０に対してバッテリ残量が通知される。
【００８７】
（電力低減モードの終了条件）
電力低減モードを終了するか否かについては、無線基地局３１０によって判断されてもよく、ＵＥ１０によって判断されてもよい。電力低減モードの終了条件は、（ａ）ＵＥ１０と無線基地局３１０との間で行われる通信に要求される品質（ＱｏＳ；Ｑｕａｌｉｔｙ  ｏｆ  Ｓｅｒｖｉｃｅ）、（ｂ）ＵＥ１０の移動速度、（ｃ）ＵＥ１０のバッテリ残量、（ｄ）ＵＥ１０が系統電源に接続されているか否か、（ｅ）ＵＥ１０のユーザによる指定の有無、（ｆ）無線基地局３１０からＵＥ１０に送信されるトラフィック量又は無線基地局３１０の送信バッファに存在するデータ量によって定められる。電力低減モードの終了条件は、（ａ）〜（ｆ）の組合せであってもよい。
【００８８】
例えば、（ａ）ＱｏＳが所定閾値よりも厳しい場合に、電力低減モードの終了条件が満たされて、電力低減モードが解除される。或いは、（ｂ）ＵＥ１０の移動速度が所定閾値よりも速い場合に、電力低減モードの終了条件が満たされて、電力低減モードが解除される。或いは、（ｃ）ＵＥ１０のバッテリ残量が所定閾値よりも多い場合に、電力低減モードの終了条件が満たされて、電力低減モードが解除される。或いは、（ｄ）ＵＥ１０が系統電源に接続された場合に、電力低減モードの終了条件が満たされて、電力低減モードが解除される。或いは、（ｅ）ＵＥ１０のユーザ設定（アプリケーションの設定等を含む）によって電力低減モードの終了が指定された場合に、電力低減モードの終了条件が満たされて、電力低減モードが解除される。或いは、（ｆ）無線基地局３１０からＵＥ１０に送信されるトラフィック量又は無線基地局３１０の送信バッファに存在するデータ量が所定閾値よりも多い場合に、電力低減モードの終了条件が満たされて、電力低減モードが解除される。
【００８９】
なお、電力低減モードを終了するか否かを判断するために必要な情報は、ＵＥ１０と無線基地局３１０との間の通信によって取得可能である。例えば、無線基地局３１０が判断主体であり、電力低減モードの終了条件がＵＥ１０のバッテリ残量によって定められる場合には、ＵＥ１０から無線基地局３１０に対してバッテリ残量が通知される。
【００９０】
（無線端末）
以下において、第１実施形態に係る無線端末について説明する。図６は、第１実施形態に係るＵＥ１０を示すブロック図である。図６に示すように、ＵＥ１０は、受信部１３と、送信部１４と、制御部１５とを有する。
【００９１】
受信部１３は、無線基地局３１０から下りリンク信号を受信する。受信部１３は、例えば、電力低減モードの開始を要求するＲＲＣメッセージ、電力低減モードの終了を要求するＲＲＣメッセージを受信する。また、受信部１３は、オフセット情報、サブフレーム数指定情報、サブフレーム特定情報を受信する。
【００９２】
送信部１４は、無線基地局３１０に上りリンク信号を送信する。送信部１４は、例えば、上り方向共有チャネル（ＰＵＳＣＨ）を介して上りリンク信号を送信する。
【００９３】
制御部１５は、ＵＥ１０の動作を制御する。第１実施形態において、制御部１５は、電力低減モードが指定された場合に、第１サブフレームに含まれる割当情報を第１サブフレームよりも時間軸上において後の第２サブフレームに適用する。上述したように、第１サブフレームと第２サブフレームとの間の間隔を示すオフセット情報は、無線基地局３１０から通知される。
【００９４】
制御部１５は、サブフレーム数指定情報が通知されている場合には、サブフレーム数指定情報によって指定されたサブフレームに亘って、第１サブフレームに含まれる割当情報を適用する。制御部１５は、サブフレーム特定情報が通知されている場合には、サブフレーム特定情報によって特定されたサブフレームに、第１サブフレームに含まれる割当情報を適用する。
【００９５】
ここで、制御部１５は、第１サブフレームの次のサブフレームから第２サブフレームまでのサブフレームに含まれるＰＤＣＣＨの監視を省略する。また、制御部１５は、第１サブフレーム（割当情報を除く）から第２サブフレームの前のサブフレームまでのサブフレームに含まれるＰＤＳＣＨの監視を省略する。
【００９６】
第１実施形態において、ＵＥ１０が電力低減モードの開始／終了を判断する場合には、制御部１５は、（ａ）ＵＥ１０と無線基地局３１０との間で行われる通信に要求される品質（ＱｏＳ；Ｑｕａｌｉｔｙ  ｏｆ  Ｓｅｒｖｉｃｅ）、（ｂ）ＵＥ１０の移動速度、（ｃ）ＵＥ１０のバッテリ残量、（ｄ）ＵＥ１０が系統電源に接続されているか否か、（ｅ）ＵＥ１０のユーザによる指定の有無、（ｆ）無線基地局３１０からＵＥ１０に送信されるトラフィック量又は無線基地局３１０の送信バッファに存在するデータ量に基づいて、電力低減モードの開始／終了を判断する。
【００９７】
制御部１５は、電力低減モードを指定すると判断した場合に、電力低減モードを開始する旨を示すメッセージを無線基地局３１０に送信するように送信部１４を制御する。制御部１５は、電力低減モードを解除すると判断した場合に、電力低減モードを終了する旨を示すメッセージを無線基地局３１０に送信するように送信部１４を制御する。
【００９８】
（無線基地局）
以下において、第１実施形態に係る無線基地局について説明する。図７は、第１実施形態に係る無線基地局３１０を示すブロック図である。無線基地局３１０は、ＭｅＮＢ１１０Ａ又はＨｅＮＢ１１０Ｂであることが好ましい。但し、無線基地局３１０は、ＭＮＢ２１０Ａ又はＨＮＢ２１０Ｂであってもよい。或いは、無線基地局３１０は、リレーノードであってもよい。
【００９９】
図７に示すように、無線基地局３１０は、受信部３１３と、送信部３１４と、制御部３１５とを有する。
【０１００】
受信部３１３は、ＵＥ１０からデータを受信する。例えば、受信部３１３は、上り方向共有チャネル（ＰＵＳＣＨ）を介して上りリンク信号を受信する。
【０１０１】
送信部３１４は、ＵＥ１０にデータを送信する。例えば、送信部３１４は、電力低減モードの開始を要求するＲＲＣメッセージ、電力低減モードの終了を要求するＲＲＣメッセージを送信する。また、送信部３１４は、オフセット情報、サブフレーム数指定情報、サブフレーム特定情報を送信する。
【０１０２】
制御部３１５は、無線基地局３１０を制御する。第１実施形態において、無線基地局３１０が電力低減モードの開始／終了を判断する場合には、制御部３１５は、（ａ）ＵＥ１０と無線基地局３１０との間で行われる通信に要求される品質（ＱｏＳ；Ｑｕａｌｉｔｙ  ｏｆ  Ｓｅｒｖｉｃｅ）、（ｂ）ＵＥ１０の移動速度、（ｃ）ＵＥ１０のバッテリ残量、（ｄ）ＵＥ１０が系統電源に接続されているか否か、（ｅ）ＵＥ１０のユーザによる指定の有無、（ｆ）無線基地局３１０からＵＥ１０に送信されるトラフィック量又は無線基地局３１０の送信バッファに存在するデータ量に基づいて、電力低減モードの開始／終了を判断する。
【０１０３】
制御部３１５は、電力低減モードを指定すると判断した場合には、電力低減モードを開始する旨を示すメッセージをＵＥ１０に送信するように送信部３１４を制御する。制御部３１５は、電力低減モードを解除すると判断した場合には、電力低減モードを終了する旨を示すメッセージをＵＥ１０に送信するように送信部３１４を制御する。
【０１０４】
（移動通信方法）
以下において、第１実施形態に係る移動通信方法について説明する。図８は、第１実施形態に係る移動通信方法を示すシーケンス図である。
【０１０５】
図８に示すように、ステップ１１において、無線基地局３１０は、電力低減モードの開始を要求するＲＲＣメッセージをＵＥ１０に送信する。オフセット情報は、無線基地局３１０からＵＥ１０に通知される。また、第１サブフレームに含まれる割当情報を適用するサブフレーム数が指定される場合には、サブフレーム数指定情報は、無線基地局３１０からＵＥ１０に通知される。同様に、第１サブフレームに含まれる割当情報を適用するサブフレームが特定される場合には、サブフレーム特定情報は、無線基地局３１０からＵＥ１０に通知される。
【０１０６】
ステップ１２において、ＵＥ１０は、電力低減モードを開始する。ここでは、オフセット情報が”１”であるケースについて例示している。すなわち、第１サブフレームと第２サブフレームとが連続しているケースについて例示している。
【０１０７】
ステップ１３において、無線基地局３１０は、サブフレーム＃１（第１サブフレーム）においてＰＤCCHを送信する。ＵＥ１０は、ＰＤCCHを受信する。
【０１０８】
ステップ１４において、無線基地局３１０は、サブフレーム＃１（第１サブフレーム）においてＰＤＳCHを送信する。ＵＥ１０は、ＰＤＳCHを監視せずに、ＰＤＳＣＨを受信しない。
【０１０９】
ステップ１５において、無線基地局３１０は、サブフレーム＃２（第２サブフレーム）においてＰＤCCHを送信する。ＵＥ１０は、ＰＤCCHを監視せずに、ＰＤＣＣＨを受信しない。
【０１１０】
ステップ１６において、無線基地局３１０は、サブフレーム＃２（第２サブフレーム）においてＰＤＳCHを送信する。ＵＥ１０は、ＰＤＳCHを受信する。
【０１１１】
以降、ステップ１３〜１６の処理が繰り返される。すなわち、ＵＥ１０は、第１サブフレームの次のサブフレームから第２サブフレームまでのサブフレームに含まれるＰＤＣＣＨの監視を省略する。また、ＵＥ１０は、第１サブフレームの次のサブフレームから第２サブフレームの前のサブフレームまでのサブフレームに含まれるＰＤＳＣＨの監視を省略する。
【０１１２】
ステップ１７において、無線基地局３１０は、電力低減モードの終了を要求するＲＲＣメッセージをＵＥ１０に送信する。
【０１１３】
ステップ１８において、ＵＥ１０は、電力低減モードを終了する。
【０１１４】
（作用及び効果）
第１実施形態では、ＵＥ１０は、第１サブフレームに含まれる割り当て情報を、第１サブフレームに適用せずに、第２サブフレームに適用する。従って、第１サブフレームの次のサブフレームから第２サブフレームまでのサブフレームに含まれる制御領域（例えば、ＰＤＣＣＨ）の監視を省略することができる。また、第１サブフレーム（割当情報を除く）から第２サブフレームの前のサブフレームまでのサブフレームに含まれるデータ領域（例えば、ＰＤＳＣＨ）の監視も省略することができる。これによって、ＵＥ１０の消費電力を低減することができる。
【０１１５】
第１実施形態では、サブフレーム数指定情報又はサブフレーム特定情報を用いることによって、第１サブフレームに含まれる割当情報（ＰＤＣＣＨ）を複数のサブフレームに適用することが可能である。これによって、複数のコンポーネントキャリアを用いるケース（ＣＡ；Ｃａｒｒｉｅｒ  Ａｇｇｒｅｇａｔｉｏｎ）、ＰＤＣＣＨをマクロセルが送信してＰＤＳＣＨをピコセルが送信するケース（Ｐｈａｎｔｏｍ  ｃｅｌｌ）等が用いられるケースにおいて、ＰＤＣＣＨの容量不足を抑制することができ、複数のＵＥ１０を収容することが可能である。
【０１１６】
［変更例１］
以下において、第１実施形態の変更例１について説明する。以下においては、第１実施形態に対する相違点について主として説明する。具体的には、変更例１では、複数のコンポーネントキャリアを用いて通信が行われるケース（ＣＡ；Ｃａｒｒｉｅｒ  Ａｇｇｒｅｇａｔｉｏｎ）について例示する。
【０１１７】
具体的には、図９に示すように、複数のコンポーネントキャリア（ＰＣＣ、ＳＣＣ１、ＳＣＣ２）を用いて通信が行われる。詳細には、第１コンポーネントキャリア（ＰＣＣ）に属する第１サブフレーム（サブフレーム＃１）に含まれるＰＤＣＣＨ（割当情報）は、第２コンポーネントキャリア（ＳＣＣ１、ＳＣＣ２）に属する第２サブフレーム（サブフレーム＃２）に適用される。また、第１コンポーネントキャリア（ＰＣＣ）に属する第１サブフレーム（サブフレーム＃２）に含まれるＰＤＣＣＨ（割当情報）は、第２コンポーネントキャリア（ＳＣＣ１）に属する第２サブフレーム（サブフレーム＃３）に適用される。
【０１１８】
但し、第１サブフレームと第２サブフレームとの間の間隔を示すオフセット情報が無線基地局３１０から通知される点については、第１実施形態と同様である。また、サブフレーム数指定情報及びサブフレーム特定情報が無線基地局３１０から通知されてもよい点についても、第１実施形態と同様である。
【０１１９】
このようなケースにおいて、ＵＥ１０は、ＰＤＣＣＨ（割当情報）に基づいて、ＵＥ１０へのデータの割り当てがないサブフレームの監視を省略することができる。具体的には、ＵＥ１０は、ＳＣＣ１のサブフレーム＃１、サブフレーム＃４の監視を省略することができる。また、ＵＥ１０は、ＳＣＣ２のサブフレーム＃１、サブフレーム＃３、サブフレーム＃４の監視を省略することができる。
【０１２０】
［変更例２］
以下において、第１実施形態の変更例２について説明する。以下においては、第１実施形態に対する相違点について主として説明する。変更例２では、ＰＤＳＣＨにおいて、割当情報を搬送するｅＰＤＣＣＨが定義される。
【０１２１】
具体的には、図１０に示すように、サブフレーム＃１に含まれるＰＤＳＣＨにおいて、割当情報を搬送するｅＰＤＣＣＨ（割当情報）が定義される。サブフレーム＃１のｅＰＤＣＣＨ（割当情報）は、サブフレーム＃３に適用される。
【０１２２】
但し、第１サブフレームと第２サブフレームとの間の間隔を示すオフセット情報が無線基地局３１０から通知される点については、第１実施形態と同様である。また、サブフレーム数指定情報及びサブフレーム特定情報が無線基地局３１０から通知されてもよい点についても、第１実施形態と同様である。
【０１２３】
このようなケースにおいて、ＵＥ１０は、サブフレーム＃２のＰＤＣＣＨ、サブフレーム＃２のＰＤＳＣＨ、サブフレーム＃３のＰＤＣＣＨの監視を省略可能である。
【０１２４】
なお、オフセット情報によって、例えば、割当情報が適用されるサブフレーム（例えば、サブフレーム＃３）が固定されている場合、以後のサブフレーム＃３のＰＤＣＣＨの監視を省略可能である。
【０１２５】
［変更例３］
以下において、第１実施形態の変更例３について説明する。以下においては、変更例２に対する相違点について主として説明する。具体的には、変更例３では、複数のコンポーネントキャリアを用いて通信が行われるケース（ＣＡ；Ｃａｒｒｉｅｒ  Ａｇｇｒｅｇａｔｉｏｎ）について例示する。
【０１２６】
具体的には、図１１に示すように、複数のコンポーネントキャリア（ＰＣＣ、ＳＣＣ）を用いて通信が行われる。詳細には、第１コンポーネントキャリア（ＰＣＣ）に属する第１サブフレーム（サブフレーム＃１）に含まれるｅＰＤＣＣＨ（割当情報）は、第２コンポーネントキャリア（ＳＣＣ）に属する第２サブフレーム（サブフレーム＃３）に適用される。
【０１２７】
但し、第１サブフレームと第２サブフレームとの間の間隔を示すオフセット情報が無線基地局３１０から通知される点については、第１実施形態と同様である。また、サブフレーム数指定情報及びサブフレーム特定情報が無線基地局３１０から通知されてもよい点についても、第１実施形態と同様である。
【０１２８】
このようなケースにおいて、ＵＥ１０は、ＰＣＣのサブフレーム＃２、ＰＣＣのサブフレーム＃３の監視を省略することができる。また、ＵＥ１０は、ＳＣＣのサブフレーム＃１、ＳＣＣのサブフレーム＃２、ＳＣＣのサブフレーム＃３のＰＤＣＣＨの監視を省略することができる。
【０１２９】
なお、オフセット情報によって、例えば、割当情報が適用されるサブフレーム（例えば、ＳＣＣのサブフレーム＃３）が固定されている場合、以後のＳＣＣのサブフレーム＃３のＰＤＣＣＨの監視を省略可能である。
【０１３０】
［変更例４］
以下において、第１実施形態の変更例４について説明する。以下においては、第１実施形態に対する相違点について主として説明する。変更例４では、電力低減モードを行っているＵＥ１０と電力低減モードを行っていないＵＥ１０とが混在するケースについて例示する。
【０１３１】
図１２に示すように、電力低減モードを行っているＵＥ１０（ＵＥ＃１）に対しては、サブフレーム＃１に含まれるＰＤＣＣＨ（割当情報）は、サブフレーム＃２に適用される。一方で、電力低減モードを行っていないＵＥ１０（ＵＥ＃２）に対しては、サブフレーム＃１に含まれるＰＤＣＣＨ（割当情報）は、通常通りにサブフレーム＃１に適用される。
【０１３２】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０１３３】
実施形態では特に触れていないが、ＵＥ１０は、第１サブフレームの次のサブフレームから第２サブフレームまでの前のサブフレームの間のサブフレームのうち、ＵＥ１０へのデータの割り当てが行われているサブフレームについては、当該サブフレームのＰＤＳＣＨ領域の受信処理を行ってもよい。従って、ＵＥ１０は、例えば、第１サブフレームよりも前のサブフレームに含まれる割当情報によって、第１サブフレームから第２サブフレームの前のサブフレームまでの（複数の）サブフレームにＵＥ１０へのデータの割り当てがない場合にのみ、第１サブフレームに含まれるオフセット情報と割当情報とに基づいて、第１サブフレームから第２サブフレームの前のサブフレームまでのＰＤＳＣＨ領域の監視の省略してもよい。
【０１３４】
実施形態では特に触れていないが、ＵＥ１０は、オフセット情報を受信した場合であっても、ＰＤＣＣＨ領域の監視を省略しなくてもよい。例えば、ＵＥ１０は、第１サブフレームよりも後のサブフレームから第２サブフレームの前のサブフレームまでの（複数の）サブフレームに含まれるＰＤＣＣＨ領域を監視することによって、第２サブフレームよりも後のサブフレームにＵＥ１０のデータが割り当てられたことを示す割当情報を受信してもよい。
【０１３５】
実施形態では特に触れていないが、初送用の制御情報（初送ＤＣＩ）及び再送用の制御情報（再送ＤＣＩ）を使い分けてもよい。具体的には、初送ＤＣＩを割当てるリソース空間と再送ＤＣＩを割当てるリソース空間とを定義することによって、ＵＥ１０が監視すべきリソース空間（サーチスペース）を区別してもよい。或いは、初送ＤＣＩ及び再送ＤＣＩを識別する識別子を導入してもよい。また、電力低減モードは、初送にのみ適用してもよい。
【０１３６】
実施形態では特に触れていないが、割当情報が適用される各サブフレームに対するＡＣＫ情報を一括してＵＥ１０から無線基地局３１０に送信してもよい。すなわち、１回の送信で伝送されるＡＣＫ情報は、割当情報が適用されるサブフレームのそれぞれのＡＣＫ／ＮＡＣＫを含む。或いは、割当情報が適用される全てのサブフレームに対するＡＣＫ情報をＵＥ１０から無線基地局３１０に送信してもよい。すなわち、割当情報が適用される全てのサブフレームの受信に成功した場合にＡＣＫが送信され、割当情報が適用されるいずれかのサブフレームの受信に失敗した場合にＮＡＣＫが送信される。
【０１３７】
実施形態では特に触れていないが、電力低減モードは、Ｐａｇｉｎｇ信号又はＥＴＷＳ信号に適用されてもよい。
【０１３８】
実施形態では特に触れていないが、電力低減モードを導入する場合には、ＨＡＲＱプロセス数を拡張することが好ましい。例えば、現状のＨＡＲＱプロセス数は８つであるが、電力低減モードを導入する場合には、割当情報が適用されるサブフレーム数に応じて、ＨＡＲＱプロセス数を増大することが好ましい。
【０１３９】
実施形態では特に触れていないが、電力低減モードを導入する場合には、ＰＤＳＣＨの監視が省略されるケースが生じるため、ＰＤＣＣＨに含まれるＣＲＳ（Ｃｅｌｌ  ｓｐｅｃｉｆｉｃ  Ｒｅｆｅｒｅｎｃｅ  Ｓｉｇｎａｌ）又はＤＭＲＳ（Ｄｅｍｏｄｕｌａｔｉｏｎ  Ｒｅｆｅｒｅｎｃｅ  Ｓｉｇｎａｌ）を増強することが好ましい。
【０１４０】
なお、実施形態では特に触れていないが、ＵＥ１００は、直接的な端末間（Ｄｅｖｉｃｅ  ｔｏ  Ｄｅｖｉｃｅ：Ｄ２Ｄ）通信に用いられる複数のサブフレームにおいても、同様の制御を行ってもよい。例えば、Ｄ２Ｄ通信における無線リソースの割り当てを行うスケジューリングＵＥ１００が、電力低減モードの開始を要求するメッセージを、無線リソースを割り当てている他のＵＥ１００に通知してもよい。また、スケジューリングＵＥ１００は、オフセット情報、サブフレーム数指定情報、サブフレーム特定情報などを通知してもよい。
【０１４１】
上述した実施形態では、本発明をＬＴＥシステムに適用する一例を説明したが、ＬＴＥシステムに限定されるものではなく、ＬＴＥシステム以外のシステムに本発明を適用してもよい。
【０１４２】
なお、米国仮出願第６１／７２１６７４号（２０１２年１１月２日出願）の全内容、及び、米国仮出願第６１／７２１６９２号（２０１２年１１月２日出願）の全内容が、参照により、本願明細書に組み込まれている。
【産業上の利用可能性】
【０１４３】
以上のように、本発明に係る移動通信システム、無線端末及び移動通信方法は、無線端末の消費電力の低減できるため、移動通信分野において有用である。
【図１】
2014069568.tif 000003
【図２】
2014069568.tif 000004
【図３】
2014069568.tif 000005
【図４】
2014069568.tif 000006
【図５】
2014069568.tif 000007
【図６】
2014069568.tif 000008
【図７】
2014069568.tif 000009
【図８】
2014069568.tif 000010
【図９】
2014069568.tif 000011
【図１０】
2014069568.tif 000012
【図１１】
2014069568.tif 000013
【図１２】
2014069568.tif 000014
【国際調査報告】
2014069568.tif 000015
2014069568.tif 000016